Podtech/llm-jp-corpus-v4-ja_patent huggingface dataset:
(57)【要約】      （修正有）【課題】まな板シートを立て水切り及び鑑賞ができることに加え、レシピを見るためスマートフォンを置くこともできるまな板スタンドを提供する。【解決手段】プラスチックシートに折曲線１、３〜８及び切取部を形成し、切取部を切り取り折曲線１、３〜８をそれぞれ山折りにし、折曲線１上に形成された切込２に差込辺９を差し込み結合し出来た面を底面として、左右側面に形成された切り込みにまな板シートを差し込み、さらに上辺にスマートフォンを置くことができる。【選択図】図１
0003225218.tif 000002
【実用新案登録請求の範囲】
【請求項１】
薄手のプラスチックシートに形成されたスタンドaに形成された折曲線１、３、４、５、６、７、８をそれぞれ山折りにし、差込片９を切込２に差し込み結合しできた面を底面とし、まな板シートbを左右側面に形成された切込10に差し込み、保持することができることを特長とするまな板スタンド。
【請求項２】
手前にやや傾斜した上辺１２にスマートフォンを置き、ストッパーｄにより滑り落ちることなく閲覧操作できる請求項１に記載のまな板スタンド。
【考案の詳細な説明】
【技術分野】
【０００１】
本考案はプラスチックシート製のまな板と専用のスタンドに関する。
【背景技術】
【０００２】
0.5mm〜１mm程度のプラスチックシートを使用し製造されるまな板シートは、手軽に使用できる簡易的なキッチンアイテムとして販売されている他、販促ノベルティとして使用されることもある。販促ノベルティとして使用する場合は、まな板シートに企業の広告やキャラクター等を印刷することが多く、一般的に使用されている厚みのある本格的なまな板のように、単なる調理器具としてではなく見て楽しむこともできる物が多い。
さらに近年ではスマートフォンの普及とともに、レシピを見るためにスマートフォンを用いることが主流となり、調理中キッチンにスマートフォンを置く人も多いが、調理中は食材がこぼれたり油飛びするなど、直に置くことは不衛生であるためスマートフォンの置き場所に困る。そのため、スマートフォンを食材などで汚さず置くことができて、閲覧操作しやすいスタンドがあると便利である。
また衛生的にまな板シートを使用するために使用後は十分に乾燥させる必要があるが、効率よく乾燥するためには、まな板シートを垂直に近い角度でしばらく立てておく必要がある。その場合、まな板シートだけでは自立できないため立てかけるなどする必要があるが、材質が薄いシート状であるため自重が軽く外力の影響を受けやすく倒れやすい。そのため専用の水切りスタンドがあることが望ましい。
【考案の概要】
【考案が解決しようとする課題】
【０００３】
まな板シートに専用の水切り及び鑑賞用を兼ねた組み立て式スタンドを付属し、衛生的に使用できて広告媒体としての役割も果たせるまな板シートの提供及びレシピを閲覧するためにスマートフォンを置くことができる構造を持つ組み立て式スタンドの提供。
【課題を解決するための手段】
【０００４】
本考案はプラスチックシートに、打ち抜き加工を施し形成された組み立て式のスタンドをまな板シートとセットにて提供することにより課題を解決する。
【考案の効果】
【０００５】
本考案のまな板シートは、組み立て式の専用のスタンドを用いることにより洗浄後の水切りが衛生的に行え、組み立てる前は1枚のシート状であるため嵩張ること無く販促ノベルティとしても有用である。
【図面の簡単な説明】
【０００６】
【図１】本考案のまな板シート及びスタンド
【図２】組み立て前のスタンドを示す図
【図３】スタンドの組み立て方を示す図
【図４】組み立て後のスタンドを示す図
【図５】スタンドにまな板シートを置いた状態を示す図
【図６】スタンドにスマートフォンを置いた状態を示す図
【考案を実施するための形態】
【０００７】
以下、本考案の形態を図に基づいて説明する。
【実施例】
【０００８】
図１は型抜きされた3枚の概ね0.5mm〜１ｍｍ程の薄く弾性のあるプラスチックシート（ポリプロピレンなど）であって、その内の1枚は打ち抜き加工によりスタンドaが型抜きされていて、そのスタンドaの中央にある切取部ｃはシートから完全には切り抜かれておらず、分離しないようシートに固定されており、使用時に固定されている部分を全て切り離し、切取部cを切り取ることにより図２に示す通りスタンドaが形成される。
図３の示す通りシートから切り離したスタンドaに形成された折曲線1、3、4、5、6、7、8をそれぞれ山折りにし、差込片９を切込２に差し込み結合し出来た面が底面となる。図４はスタンドaの組み立て後の斜視図である。
スタンドaを使う際には、図５の示す通りまな板シートをスタンドaに形成された切込10に差し込み立てることにより、水切り、乾燥が行えると同時に、まな板シートに印刷された企業広告やキャラクターを観賞することが可能である。
この事例では、2枚のまな板シートを使用し説明しているが、例えば切り込みの数を増減することにより3枚や1枚なども実施可能である。
またスタンドaにスマートフォンを置く場合は図６の示す通り、レシピを閲覧、操作しやすいように縦向きに置く構造となっており、キッチンに置いて斜め上から閲覧しやすいように前方に向けやや傾斜している。その傾斜により手前にスマートフォンが滑り落ちるのを防止するためのストッパーdの上面には半円形の切欠eが形成されているためスマートフォンのボタン操作を妨げることが無い。
【符号の説明】
【０００９】
a  スタンド
b  まな板シート
c  切取部
d  ストッパー
e  切欠
１  折曲線
2  切込
3  折曲線
4  折曲線
5  折曲線
6  折曲線
7  折曲線
8  折曲線
9  差込片
１０  切込
１１  スマートフォン
１２  上辺
【図１】
0003225218.tif 000003
【図２】
0003225218.tif 000004
【図３】
0003225218.tif 000005
【図４】
0003225218.tif 000006
【図５】
0003225218.tif 000007
【図６】
0003225218.tif 000008
(57)【要約】      （修正有）【課題】架台の支柱を昇降可能にすることにより、洪水などによる水位の上昇による浸水や水没から太陽光パネルを保護する太陽光発電システムを提供する。【解決手段】水位が上昇すると水位計１の通信機２から駆動装置箱４内の通信機に信号を送り、駆動装置箱内のモーターおよびモーター軸で支柱内の巻き式のワイヤーで支柱５ａを段階的に上昇させる。水位が下降すると、支柱も油圧により下降し、もとの高さに戻ることで、大雨や洪水や津波といった自然災害からでも太陽光発電する事が可能になり、緊急時の電源としても役立つ。【選択図】図１
0003225234.tif 000002
【実用新案登録請求の範囲】
【請求項１】
太陽光発電架台の支柱を昇降式にし、水位計の数値と連動して昇降するところを特徴とする太陽光発電架台システム。
【考案の詳細な説明】
【技術分野】
【０００１】
本考案は、架台の支柱を昇降可能にする太陽光発電架台システムに関するものである。
【考案の概要】
【考案が解決しようとする課題】
【０００２】
太陽光発電システムは、大雨や洪水や津波といった自然災害からの浸水や水没による損傷を受けることが多く、故障や発電中止からの経済的損失が大きくなる。従って、架台の支柱を昇降可能にすることにより、洪水などによる水位の上昇にあわせ太陽光パネルを浸水や水没から免れることで、前述の欠点を解決しようとするものである。
【課題を解決するための手段】
【０００３】
本考案は、水位が上昇すると水位計の通信機から駆動装置箱内の通信機に信号を送り、駆動装置箱内のモーターおよびモーター軸で支柱内の巻き式のワイヤーで支柱を段階的に上昇させることで、問題点を解決している。水位が下降すると、支柱も油圧により下降し、もとの高さに戻る。
【考案の効果】
【０００４】
上述の様に、本考案の昇降式太陽光発電架台システムは大雨や洪水や津波といった自然災害からでも太陽光発電する事が可能になり、緊急時の電源としても役立つ。
【図面の簡単な説明】
【０００５】
【図１】本考案の昇降式太陽光発電架台システムの側面図である。（通常時）
【図２】本考案の昇降式太陽光発電架台システムの、水位が上昇し支柱が１段上昇した側面図である。
【図３】本考案の昇降式太陽光発電架台システムの、水位が上昇し支柱が２段上昇した側面図である。
【図４】本考案の昇降式太陽光発電架台システムの側面図である。（駆動装置箱および支柱の内部）
【符号の説明】
【０００６】
１    水位計
２    水位計の通信機
３    太陽光パネルフレーム
４    駆動装置箱
５    支柱（３段、５a、５b、５cとする）
６    基礎
７    通信機
８    モーター
９    モーター軸
１０  ワイヤー
【図１】
0003225234.tif 000003
【図２】
0003225234.tif 000004
【図３】
0003225234.tif 000005
【図４】
0003225234.tif 000006
【手続補正書】
【提出日】令和1年12月16日(2019.12.16)
【手続補正１】
【補正対象書類名】実用新案登録請求の範囲
【補正対象項目名】全文
【補正方法】変更
【補正の内容】
【実用新案登録請求の範囲】
【請求項１】
太陽光発電架台の支柱を３段階の昇降式にし、また水位計の数値データを水位計の通信機から駆動装置箱内の通信機に送り、モーターでモーター軸を回転させ、モーター軸に連結したワイヤーで支柱を昇降するところを特徴とする太陽光発電架台システム。
(57)【要約】      （修正有）【課題】新型コロナウイルスの感染症での、医師、看護師、救急隊員などの医療従事者への飛沫感染による院内感染、医療崩壊を防御するＡＩマスクを提供する。【解決手段】市販のプラスチック製ＢＯＸへ、市販の作業服用のクールフアン２基を搭載し、ファンで空気を取り込み、サージカルマスク、ティッシュペーパー、を通過させ、市販のジャバラホースを介して市販の防塵マスクへ送風して、ウイルスの飛沫感染を防御、更に、市販の防塵マスクの、ろ過材と三重のフィルター構造である。更に市販の防塵ゴーグルにて目からのウイルスの侵入を防止する。ファンの電源は充電式リチュウムイオンバッテリーにより風量調節可能で約６時間以上の運転可能、市販のナップサックへ収納して背中に背負って使用、市販品の組み合わせで安価ながら院内感染による医療崩壊を防御する一助とする。【選択図】図１
0003228821.tif 000002
【実用新案登録請求の範囲】
【請求項１】
医師、看護師、救急隊員などの医療従事者の新型コロナウイルスの院内感染は医療崩壊をも起こしかねない深刻な問題である。サージカルマスク、Ｎ９５マスクでの対応は、完全な防御は難しい。本考案では、市販のプラスチック製ＢＯＸへ、市販の作業服用クールフアン２基を搭載、サージカルマスクを最初のフィルターとして、更にテッシュペーパーを通過させ市販のジャバラホースを介して市販の防塵マスクの、ろ過材と三重のフィルター構造で飛沫感染を防御する、更に、市販の防塵ゴーグルにて目からの感染を防御する事を特徴とするＡＩマスク（エアーインパクトマスク）
【請求項２】
請求項１に記載したＡＩマスク（エアーインパクトマスク）において、ファンの電源は、充電式リチウムイオンバッテリーにより作動させ風量を調節出来、約６時間以上運転出来る事を特徴とするＡＩマスク（エアーインパクトマスク）
【請求項３】
請求項２に記載したＡＩマスク（エアーインパクトマスク）において、市販のナップサックへサージカルマスク大のメッシュ窓を設けて、この中へ送風ＢＯＸと充電式リチュウムイオンバッテリーを収納して背中に背負って使用し、使用しない時には全ての器具、充電器も合わせて持ち運び出来る事を特徴とするＡＩマスク（エアーインパクトマスク）
【考案の詳細な説明】
【考案の詳細な説明】
今日、世界を震撼している新型コロナウイルスの感染防止対策において、飛沫感染を防御するには、サージカルマスク、Ｎ９５マスク、フェイスシールド、防御服等が使用されておりますが、一般の人々は、ソーシャルディスタンスにより防御出来ますが、医師、看護師、救急隊員の皆様は、どうしても患者との接近は免れ無い、院内感染により医療崩壊からパンデミックも心配です。通常マスクでは飛沫感染を完全に防御する事は難しく、自給呼吸器、空気呼吸器、酸素呼吸器、送気マスク等が開発され使用もされておりますが、装置が重かったり、設備費用も掛かります。  この考案は、簡単で、軽く、現在、ホームセンター等で手に入る部品を組み合わせる事により製作する事が可能であり、費用もあまり掛かりません。  装置としては、送風ＢＯＸで、フィルターであるサージカルマスクを通過した空気を作業服用のクールフアンとして製作された小型フアン２基でジャバラホースを介して市販の防塵マスクへ接続して吸気します。送風ＢＯＸと充電バッテリーはナップサックへ収納して背中に背負います。このナップサックも１００均で購入出来る物ですが、下の部分へ、サージカルマスク大のメッシュ窓を設けて吸気口としています。さらに目からのウィルス侵入防止に、これも市販の防塵用ゴーグルを装着します。フィルターは、最初にサージカルマスクを通過させ、次はテッシュペーパーを通過、最後に防塵マスクの、ろ過材の三重構造になっております。この送風ＢＯＸの部品はいずれもホームセンター、１００均などで揃う市販品で、あえて特殊フィルターを使用せず利便性を高めています。さらに目からのウイルス侵入防止に、これも市販の防塵用ゴーグルを装着します。石鹸と流水での手洗いと、アルコール消毒を行い、防護服を着て、このＡＩマスクを医師、看護師、救急隊員など医療従事者の皆様に御利用頂ければ、飛沫感染防止にお役に立つと確信致します。医療従事者以外で３密での業務に携わる皆様にも御利用頂ければ幸いです。
【図面の簡単な説明】
【図１】本考案の全体の構成図である。
【図２】ＡＩマスク装着状態前向きの写真である。
【図３】ＡＩマスク装着状態後向きの写真である。
【図４】ＡＩマスク全部品の写真である。
【図５】ＡＩマスク送風ＢＯＸ内部の写真である。
【図６】ＡＩマスク全器具をナップサックへ収納した写真である。
【図１】
0003228821.tif 000003
【図２】
0003228821.tif 000004
【図３】
0003228821.tif 000005
【図４】
0003228821.tif 000006
【図５】
0003228821.tif 000007
【図６】
0003228821.tif 000008
(57)【要約】      （修正有）【課題】屋外に駐車した車両が、暴風によって飛ばされたり横転したりして破損することを防ぎ、盗難による車両の損失を防ぐ車両固定治具を提供する。【解決手段】車両固定治具は、止め具１とワイヤー２を有する。地面にワイヤー２や鎖を繋ぐことのできる止め具１を設置する。この地面に固定した止め具１と車両３の牽引フックやホイールをワイヤー２等の拘束可能な治具でつなぐ。車両３と地面に設置した止め具１を２か所以上設置し、車両３をワイヤー２等で２か所以上拘束すると、暴風に対して車両が飛ばされたり横転したりしなくなる。また、止め具１と車両３をつなぐワイヤー２に鍵を設置すれば、盗難も難しくなる。【選択図】図１
0003228887.tif 000002
【実用新案登録請求の範囲】
【請求項１】
駐車場または車両置き場の地面または床に、止め具を取り付け固定されていて、この地面または床に固定した止め具と車両の牽引フックやホイール等車両の一部を縛るまたはひっかける等して車両を駐車場に拘束できるワイーヤまたはロープ、チェーン等からなる車両固定治具。また暴風によって車両が舞い上がらないように、少なくとも地面または床に固定した止め具を２か所以上設置し、車両を２か所以上拘束して固定することができることを特徴とする車両固定治具。
【請求項２】
駐車場または車両置き場の地面または床に固定した止め具と車両をつないで車両を拘束するワイーヤやロープ、チェーン等には鍵を設置し、車両を盗難から守ることも可能な車両固定治具。
【考案の詳細な説明】
【技術分野】
【０００１】自動車や運搬装置など車両を駐車場に固定する治具。
【背景技術】
【０００２】近年、大型台風などの自然災害が頻発し、車両が暴風によって飛ばされて壊れたり、飛ばされた車両が周囲の人や建物に衝突して被害を及ぼす。
【考案の概要】
【０００３】車両を地面や床に治具で固定することによって、暴風によって車両が飛ばされたり、横転することを防ぐ。
【考案が解決しようとする課題】
【０００４】屋外に駐車した車両は、暴風によって飛ばされたり横転したりして破損する。また天候のよい時でも、盗難にあいやすいと言う問題がある。車両を地面に拘束することによって、暴風で車両が飛ばされたり、盗難によって車両を損失することを防ぐ治具を提供する。
【課題を解決するための手段】
【０００５】地面にワイヤーや鎖を繋ぐことのできる止め具を設置する。この地面に設置した止め具と車両の牽引フックやホイールをワイヤー等の拘束可能な治具でつなぐ。例えば車両の右前の牽引フックを車両右斜め前の地面に設置した止め具にワイヤーで固定し、車両の左後の牽引フックを車両左斜め後の地面に設置した止め具にワイヤーで固定するなど対角線で車両を地面に固定すると、車両は暴風などの力を受けても舞い上がったり、横転しなくなる。特に４輪全てをそれぞれ４輪の近くの地面に設置された止め具にワイヤーなどで固定すれば、さらに暴風に対して車両が安定する。
また、止め具と車両をつなぐワイヤーに鍵を設置すれば、盗難も難しくなる。
【考案の効果】
【０００６】車両が自然災害や盗難によって損失することを防ぐ。
【図面の簡単な説明】
【０００７】
【図１】本発明の車両固定治具の全体図である。
【図２】本発明の車両固定治具の拡大図である。  １は地面に設置した止め具、２はワイヤー、３は車両、４はワイヤーを外す鍵である。
１の地面に設置した止め具は地面に埋め込まれて固定されていて、ワイヤー２は車両３のホイールや牽引フックと１の地面に設置した止め具をひっかけて、車両を地面に固定している。
ワイヤーを外す鍵４はワイヤー２に設置されている鍵で、施錠を解除するとワイヤー２が開いて車両３の牽引フックやホイールからワイヤー２を外せる
【図１】
0003228887.tif 000003
【図２】
0003228887.tif 000004
【手続補正書】
【提出日】令和2年7月10日(2020.7.10)
【手続補正１】
【補正対象書類名】実用新案登録請求の範囲
【補正対象項目名】全文
【補正方法】変更
【補正の内容】
【実用新案登録請求の範囲】
【請求項１】
車両を駐車場または車両置き場に固定するにおいて
（１）駐車場または車両置き場の地面または床に取り付けて固定した止め具。
（２）駐車場または車両置き場の地面または床に固定した止め具と、車両の牽引フックやホイール又は車両の一部との双方をつないで、車両を駐車場または車両置き場に拘束することができるワイヤー、ロープ、チェーンまたは連結治具。
（３）少なくとも地面または床に固定した（１）の止め具を２か所以上設置し、（２）の車両の牽引フックやホイール又は車両の一部を（１）の止め具とつないで車両を拘束するワイヤー、ロープ、チェーンまたは連結治具も２個以上あり、車両を地面または床に２か所以上拘束して固定することができる。
以上の（１）〜（３）の構成からなる車両固定治具。
【請求項２】
駐車場または車両置き場の地面または床に固定した止め具と、車両の牽引フックやホイール、または車両の一部とをつないで車両を拘束するワイヤー、ロープ、チェーン、または連結治具に鍵を設置し、車両を盗難から守ることが可能なことを特徴とする請求項１記載の車両固定治具。
(57)【要約】      （修正有）【課題】ハンコ付き筆記具の購入後、もしくは取得後に自ら好きなデザインに変えることができるハンコ付き封入式筆記具を提供する。【解決手段】ハンコ付き筆記具は、ハンコ部分１、封入部分２、筆記具部分３を有し、封入部分２が透明素材で作られ、中空になっているため、任意のものを封入できる。封入部分２の下に筆記部分３が接続し、封入部分２の上にハンコ部分が接続する。封入部分２を活用することにより任意のデザインに作りかえることができる。【選択図】図１
0003228889.tif 000002
【実用新案登録請求の範囲】
【請求項１】
透明素材でできた中空式のパーツが本体に備わり、そこに任意の物を入れることができる。それによって自ら好きなデザインにカスタマイズすることができる。その片側に筆記具が備わり、その反対側にハンコが備わった、ハンコ付きの封入式筆記具である。
【考案の詳細な説明】
【技術分野】
【０００１】  本考案は、封入式の筆記具にハンコが付属した、文房具に関するものである。
【背景技術】
【０００２】  従来の封入式の筆記具には、ハンコが付いていなかった。そして、ハンコ付きの筆記具は、中身が見えるタイプのものがなく、外観のデザインを楽しむだけであった。
【先行技術文献】
【０００３】
【特許文献１】実全平０２−００２１９０号
【０００４】
【非特許文献１】「シャチハタ総合カタログ  ２０１９−２０２０」，シヤチハタ株式会社，１０１９年，Ｐ．１７４〜１８７
【非特許文献２】楽天ネット通販「ＰＡＲＴＳＷＯＲＤ」ハーバリウムボールペン手作りキット，ｈｔｔｐｓ：／／ｉｔｅｍ．ｒａｋｕｔｅｎ．ｃｏ．ｊｐ／ｋｉｒａｋｉｒａｌｕｍｉｅｒｅ／ｂａｌｌｐｅｎ＿ｓｓ＿０９／
【考案の概要】
【考案が解決しようとする課題】
【０００５】  市販のハンコ付き筆記具はオリジナルで作ることはできない。市販されている中身が見える封入式ボールペンは、オリジナルで作ることができるが、ハンコがついていないので、別にハンコを用意してなければならない。従って、ハンコ付き筆記具の中身が見え、且つ任意で封入できるようにすることで、多彩なデザインを簡単に作ることが個人でも可能となる。
【課題を解決するための手段】
【０００６】  ハンコ付き筆記具の中に封入したものが見える構造にする。透明のパイプ状素材を使うことにより、その問題点を解決させている。
【考案の効果】
【０００７】  個人、もしくは本考案の製品を仕入れた企業が、中身を入れるだけで任意のデザインにすることが容易となり、それによってオリジナル性のある筆記具として使用、もしくは販売や譲渡することが可能となる。
【図面の簡単な説明】
【０００８】
【図１】本考案のハンコ付き封入式筆記具の組み立てた完成正面図である。
【図２】本筆記具のハンコ部分の拡大図である。
【図３】本筆記具の分解図である。
【図４】本筆記具のハンコ部分から封入部分における断面図である。
【考案を実施するための形態】
【０００９】  封入部分が透明素材で作られ、中空になっているため、その中に任意のものを封入する。中栓があり、液体も入れることもできる。その下に筆記具が接続し、その上にハンコのパーツが接続する。別の用途をもった三つの機能が一体化する。
【実施例１】
【００１０】  以下、添付図面に従って一実施例を説明する。１の部分は４のキャップで普段は覆われている。ハンコを押したいときに、このキャップを取り、任意の場所に押すことができる。２の封入部分に、任意の物を入れることができ、好きなデザインにできる。３の筆記部分は、任意の場所に筆記することができる。
【産業上の利用可能性】
【００１１】  消費者が、自分で使うためのハンコ付き筆記具として作ることもできるが、作家やクリエイターがこれを使用し、作品として販売することもできる。講習会やワークショップ、教室や学校などで、参加者に作らせることもできる。
【符号の説明】
【００１２】１  ハンコ部分
２  封入部分
３  筆記具部分
４  ハンコのキャップ
５  印面
６  中栓
【図１】
0003228889.tif 000003
【図２】
0003228889.tif 000004
【図３】
0003228889.tif 000005
【図４】
0003228889.tif 000006
【手続補正書】
【提出日】令和2年7月22日(2020.7.22)
【手続補正１】
【補正対象書類名】実用新案登録請求の範囲
【補正対象項目名】全文
【補正方法】変更
【補正の内容】
【実用新案登録請求の範囲】
【請求項１】
透明素材でできた中空式のパーツが本体に備わり、そこに任意の物を入れ、それにより自ら好きなデザインにカスタマイズすることが可能となるものであり、尚且つその片側に筆記具が備わり、その筆記具の反対側にハンコが備わったことを特徴とするハンコ付きの封入式筆記具。
(57)【要約】      （修正有）【課題】動かす際に、底面と床面との摩擦によって受ける張力で抜けてしまうことがなく、構造が単純で、着脱が便利な椅子やテーブルの布製の脚カバーを提供する。【解決手段】椅子やテーブルの脚カバーは、上が開口され下の底が塞がれた布製脚カバー２と、布製脚カバーの底部２ｂの上部の内側又は外側に配されたプラスチック製又はその他の材質のストッパー板３ａ、３ｂとから成り、ストッパー板が布製脚カバーに固着されている。【選択図】図１
0003228818.tif 000002
【実用新案登録請求の範囲】
【請求項１】
椅子やテーブルの脚カバーであって、上が開口され下の底が塞がれた従来の布製の脚カバーと同等の布製脚カバーと、該布製脚カバーの底の上部の内側又は外側に配されたプラスチック製又はその他の材質のストッパー板とから成り、該ストッパー板が前記布製脚カバーに固着されていることを特徴とする脚カバー。
【考案の詳細な説明】
【考案の詳細な説明】
【技術分野】
【０００１】  本考案は、椅子やテーブルの脚カバーに関するものである。
【背景技術】
【０００２】  従来、椅子やテーブルの布製の脚カバーは、動かす際に、前記脚カバーの底面と床面との摩擦によって受ける張力でやがて抜けてしまう欠点があった。【０００３】  上記欠点を無くすために、ねじ又はピン、或いは両面接着テープで脚カバーの左右側面を固定するようにしたものがある（下記特許文献１参照）。
さらに、脚カバーの内周面に、所定の間隔をあけて複数のすべり止め部材を点溶着すると共に、脚カバーの内面底部とそれを装着する椅子等の脚の先端面に、互いが係止するようにしたものなどがある（下記特許文献２参照）。
【先行技術文献】
【特許文献】
【０００４】
【特許文献１】特許第４７８２８８５号
【特許文献２】実用新案登録第３１８７２３３号
【考案の概要】
【考案が解決しようとする課題】
【０００５】  椅子やテーブルの従来の布製の脚カバーは、動かす際に、前記脚カバーの底面と床面との摩擦によって受ける張力でやがて抜けてしまう欠点があった。
そこで、その欠点を無くすために上記したとおりの方法で、脚カバーとそれを装着する椅子やテーブルの脚とを固定し或いは係止するようにしたものがある。
しかし、これらのものは、構造が複雑になるうえ、着脱が不便であるなどの課題があった。
【課題を解決するための手段】
【０００６】  本考案は、上記欠点及び上記課題を解決するために、椅子やテーブルの脚カバーであって、上が開口され下の底が塞がれた従来の布製の脚カバーと同等の布製脚カバー２と、該布製脚カバー２の底部２ｂの上部の内側又は外側に配されたプラスチック製又はその他の材質のストッパー板３とから成り、該ストッパー板３が布製脚カバー２に固着されていることを特徴とする脚カバー１である。
さらに、布製脚カバー２は、伸縮性を持たせかつ比較的ゆるめの従来の布製の脚カバーと同様の素材であっても下記考案の効果が発揮されるのでその素材を厳選する必要性が無いうえ、装着する椅子やテーブルの脚の形状に合わせてその形状を選ぶことができる。
また、ストッパー板３は、椅子やテーブルの脚の形状に合わせた正方形或いは長方形又は湾曲形及びその他の形であっても良く、例えば椅子やテーブルの脚の形状が四角柱であれば、長方形の右側ストッパー板３ａ及び左側ストッパー板３ｂの底辺が布製脚カバー２の底部２ｂにできるだけ近い位置に位置させて左右に配され、それぞれが布製脚カバー２に固着されている。
なお、ストッパー板３は、それを構成する右ストッパー板３ａ及び左ストッパー板３ｂは椅子やテーブルの脚の形状に合わせた正方形或いは長方形又は湾曲形及びその他の形であっても良く、その枚数或いは固着方法及び位置などは特に限定しない。さらに、ストッパー板３は、椅子やテーブルを動かす際に受ける布製脚カバー２の底２ｂと床面との摩擦によって生じる張力に耐えられる強度があれば、例えばプラスチック製又はその他の材質の薄板で良い。
【考案の効果】
【０００７】  本考案の脚カバー１は、脚カバー１とそれを装着する椅子やテーブルの脚とを固定し或いは係止するなどを必要としないので、その構造が極めて簡易で、従来の布製の脚カバーと同様に安価に制作できる。
さらに、椅子やテーブルの脚に装着した状態で前記脚を床面をこするように動かしても、その際に布製脚カバー２が受ける床面との間に生じる横方向の摩擦による張力に対して、ストッパー板３がその底辺部分が床面に接してそれより下方に移動しないため前記張力を抑制するいわゆるストッパーの役目をするので、前記脚から抜けないようになる。なお、この作用効果は、布製脚カバー２にストッパー板３が固着された状態では永久に保たれる。即ち、脚カバー１が装着された椅子やテーブルの脚を床面をこするように動かしても抜けることはない。
また、それであるのに構造が複雑にならないうえ、従来の布製の脚カバーと同じ感覚で着脱が容易にでき洗濯などをも容易にする。
【図面の簡単な説明】
【０００８】
【図１】  本考案の脚カバー１の一実施例の概略斜視図である。
【図２】  ストッパー板３の一実施例の概略斜視図である。
【符号の説明】  １    脚カバー
２    布製脚カバー
２ａ  布製脚カバー２の上開口部
２ｂ  布製脚カバー２の底部
３    ストッパー板
３ａ  右ストッパー板
３ａ  左ストッパー板
【図１】
0003228818.tif 000003
【図２】
0003228818.tif 000004
(57)【要約】      （修正有）【課題】小型、高性能、安価な太陽熱温水器を提供する。【解決手段】複数枚のシート型のアクリル製フルネルレンズ２、３を一定の距離で重ねることにより焦点距離を短縮し、温水器の集熱部１に太陽光４を集束することにより、採光面積を一定のままで、装置全体を小型化する。【選択図】図１
0003228813.tif 000002
【実用新案登録請求の範囲】
【請求項１】
採光部を広く取とり、シート型フルネルレンズを複数枚、一定の距離をとって重ねて取り付け、焦点距離を縮小することによって小型・高性能化する太陽熱温水器。
【考案の詳細な説明】
【技術分野】
【０００１】本考案は、家庭用の太陽熱温水器にシート型フルネルレンズを複数取り付け焦点距離を短縮して、小型化し高性能化するものである。
【背景技術】
【０００２】太陽熱温水機は多くの研究があるが小型化で高性能ものはない。
【特許文献】
【０００３】太陽熱温水機は多くの特許があるがシート型フルネルレンズを複数取り付け、小型化し高性能化するものは見当たらない。
【考案の概要】
【考案が解決しようとする課題】
【０００４】  本考案は、太陽熱温水器はエネルギー効率が高いが、現状では一般家庭に多く普及する状況にはなく、そのため太陽熱温水器の小型化、高性能化同時に安価なものにする必要がある。
【課題を解決するための手段】  ［太陽熱温水器集光部分にシート型のフルネルレンズを複数枚２枚、あるいは３枚、一定の距離を開けて、配置することで入光面積を広いまま、焦点距離を短縮することができる。よって高性能化、小型化が可能である。さらに集熱部には市販の自動車用ラジエターと熱媒体には不凍液を利用して安価に寒冷地でも利用でき安価に制作できる］
【考案の効果】一般家庭の光熱費の削減と、ＣＯ２の削減に寄与することができる。
【図面の簡単な説明】    ［一般的な太陽熱温水器の形状とシート型フルネルレンズ２枚配置の図面］
太陽熱温水器の集熱部の立体横面図
【図１】太陽熱温水器の太陽光の侵入とフルネルレンズ通過後の焦点の変化の図▲１▼は温水器の集熱部  ▲２▼はシート型フルネルレンズ２．▲３▼シート型フルネルレンズ１    ▲４▼は太陽光の侵入とレンズによる変化
【図１】
0003228813.tif 000003
【手続補正書】
【提出日】令和2年6月30日(2020.6.30)
【手続補正１】
【補正対象書類名】実用新案登録請求の範囲
【補正対象項目名】全文
【補正方法】変更
【補正の内容】
【実用新案登録請求の範囲】
【請求項１】
採光部を広く取り、シート型フルネルレンズを複数枚、一定の距離をとって重ねて取り付け、焦点距離を縮小することによって小型・高性能化する太陽光温水器。
【手続補正２】
【補正対象書類名】明細書
【補正対象項目名】全文
【補正方法】変更
【補正の内容】
【考案の詳細な説明】
【技術分野】
【０００１】  家庭用太陽熱温水機にシート型フルネルレンズを利用し小型化・高性能化するもの。
【考案の概要】
【考案が解決しようとする課題】  本考案は、太陽熱温水器はエネルギー効率が高いが、現状では一般家庭に多く普及する状況にはなく、小型・高性能化で安価なものにする必要がある。
【課題を解決するための手段】  ［太陽熱温水器集光部分にシート型のフルネルレンズを複数枚、配置することで入光面積を広いまま、焦点距離を短縮することができ、高性能化、小型化するものである。
【考案の効果】一般家庭の光熱費の削減と、ＣＯ２の削減に寄与することができる。
【図面の簡単な説明】  ［一般的な太陽熱温水器の形状とシート型フルネルレンズ２枚配置の図面］太陽熱温水器の集熱部の立体横面図【図１】太陽熱温水器の太陽光の侵入とフルネルレンズ通過後の焦点の変化の図▲１▼は温水器の集熱部  ▲２▼はシート型フルネルレンズ２．▲３▼シート型フルネルレンズ１  ▲４▼は太陽光の侵入とレンズによる変化
【手続補正３】
【補正対象書類名】図面
【補正対象項目名】全図
【補正方法】変更
【補正の内容】
【図１】
0003228813.tif 000004
(57)【要約】      （修正有）【課題】口元とマスク生地とが触れることなく快適に会話や呼吸を行える立体マスクを提供する。【解決手段】左右方向中央部の上下方向にマスク生地２の継ぎ目２ａを有する二つ折り式の立体マスク１であって、継ぎ目２ａに沿ってマスクの形状を保持するためのワイヤ部材４を備える。また、左右方向中央部の上下方向にマスク生地２の継ぎ目を有しない一体型の立体マスク１であっても、左右方向中央部の上下方向２ｂにマスク形状に沿ってマスクの形状を保持するためのワイヤ部材４を備える。【選択図】図１
0003228820.tif 000002
【実用新案登録請求の範囲】
【請求項１】
左右方向中央部の上下方向にマスク生地の継ぎ目を有する二つ折り式の立体マスクであって、前記継ぎ目に沿ってマスクの形状を保持するためのワイヤ部材を備えたことを特徴とする立体マスク。
【請求項２】
左右方向中央部の上下方向にマスク生地の継ぎ目を有しない一体型の立体マスクであって、左右方向中央部の上下方向にマスク形状に沿ってマスクの形状を保持するためのワイヤ部材を備えたことを特徴とする立体マスク。
【請求項３】
前記ワイヤ部材の両端はアール形状に形成されていることを特徴とする請求項１又は２に記載の立体マスク。
【考案の詳細な説明】
【技術分野】
【０００１】  本考案は、立体マスクに関するものである。
【背景技術】
【０００２】  家庭用や産業用マスクは、平型、プリーツ型、立体型など様々なタイプがありそれぞれ用途に応じて使用されているが、特に立体型のマスクは口元とマスク生地との空間が確保できるために他のタイプのマスクに比べ圧迫感が少なくまた最近ではファッション性や通気性に優れていることなどの理由でこのタイプのマスクの使用が増えてきている。
【先行技術文献】
【特許文献】
【０００３】
【特許文献１】特開２００８−１１８８７号公報
【考案の概要】
【考案が解決しようとする課題】
【０００４】  立体型のマスクは例えば特許文献１に示すように公知であるが、従来の立体マスクは会話や深い呼吸を行うときには口元から空気の出し入れを行う毎に口元あたりのマスクの生地がペコペコと変形し、口元とマスク生地間のスペースが狭まり会話や呼吸が楽にできなかった。また口元にマスク生地が触れるため不快感が増すとともに衛生面から取り換えや洗濯の頻度が増していた。さらに女性の場合は口紅がマスクに付着するという問題もあった。【０００５】  本考案は上記課題を解決するため、口元とマスク生地とが触れることなく快適に会話や呼吸を行える立体マスクを提供することを目的とする。
【課題を解決するための手段】
【０００６】  上記目的を達成するため、本考案の立体マスクは、左右方向中央部の上下方向にマスク生地の継ぎ目を有する二つ折り式の立体マスクであって、前記継ぎ目に沿ってマスクの形状を保持するためのワイヤ部材を備えたことを特徴とし、また、左右方向中央部の上下方向にマスク生地の継ぎ目を有しない一体型の立体マスクであっても、左右方向中央部の上下方向にマスク形状に沿ってマスクの形状を保持するためのワイヤ部材を備えたことを特徴としている。
【考案の効果】
【０００７】  本考案の立体マスクは、左右方向中央部の上下方向にマスク形状に沿って備えたワイヤ部材によりマスクの形状保持機能が強化されるため、会話や強い呼吸の際にもマスク生地の変形を生じることがないので口元とマスク生地とが触れることなく快適に会話や呼吸を行うことができる。また、口元とマスク生地とが触れることがないので衛生的で従来のものに比べ長期間使用することができ取り換えや洗濯の頻度が減少する。さらに女性の場合は、口紅のマスクへの付着も防ぐことができる。
【図面の簡単な説明】
【０００８】
【図１】本考案に係る立体マスクの外観斜視図である。
【図２】立体マスクに取り付けられるワイヤ部材の外観斜視図である。
【考案を実施するための形態】
【０００９】  以下、本考案に係る立体マスク１の実施の形態について図１〜図２に基づいて説明する。
【００１０】  １は立体マスクで、マスク生地２と耳掛け３より構成されている。二つ折り式の立体マスクの場合は、左右方向中央部の上下方向２ｂにマスク生地２の継ぎ目２ａが形成されている。また、ワイヤ部材４はポリエチレン製の平板でマスク生地２の左右方向中央部の上下方向２ｂにマスク生地２に内包されている。このワイヤ部材４は外観では見えないため、図１ではワイヤ部材４を点線で示している。
【００１１】  請求項１に記載の立体マスク１は、左右方向中央部の上下方向２ｂにマスク生地２の継ぎ目２ａを有する二つ折り式の立体マスクであって、継ぎ目２ａに沿ってマスクの形状を保持するためのワイヤ部材４を図２に示すように湾曲した状態で共縫いされ内包している。図１に外観を示す。
【００１２】  従来の立体マスクはマスク生地の継ぎ目がマスク着用時にマスクの立体形状を最低限保持するための補強を兼ねているが、このワイヤ部材４の内包によりマスクの立体形状の保持力が強化され、会話や深い呼吸を行うときに口元あたりのマスクの生地がペコペコと変形することなく、会話や呼吸を楽に行うことができる。
【００１３】  次に、請求項２に記載の立体マスク１は、左右方向中央部の上下方向２ｂにマスク生地２の継ぎ目を有しない一体型の立体マスクであって、左右方向中央部の上下方向２ｂにマスク形状に沿ってマスクの形状を保持するためのワイヤ部材４を図２に示すように湾曲した状態で内包している。請求項１の二つ折り式の立体マスク１と同様にワイヤ部材４の補強によりマスクの立体形状の保持が強化され、会話や深い呼吸を行うときに口元あたりのマスクの生地がペコペコと変形することなく、会話や呼吸を楽に行うことができる。
【００１４】  請求項２に記載の立体マスク１の外観は、マスク生地２の左右方向中央部の上下方向２ｂに継ぎ目２ａが無いためワイヤ部材４の取り付け用縫い目のみが現れ、図１とはこの部分が異なる。なお、マスク生地が多層で形成され内層にワイヤ部材４を取り付けた場合には表面層の左右方向中央部の上下方向２ｂにはワイヤ部材４の取り付け用縫い目は現れず、外観は従来の継ぎ目の無い立体マスクと同じとなる。
【００１５】  また、本考案で使用するワイヤ部材４は、厚み１〜２ｍｍ、幅２〜５ｍｍの形状記憶機能を有する平板が効果的である。実施例ではノーズワイヤー用に一般的に使用されているポリエチレンを使用しているが、形状記憶機能のある軽量素材であれば幅や厚みさらに材質又は形状は特に問わない。
【００１６】  さらに、ワイヤ部材４の長手方向端部４ａは、請求項３に記載のようにアール形状を施しておけば万一ワイヤ部材４の長手方向端部４ａが生地から飛び出した場合でも安全である。（図２参照）
【００１７】  なお、ワイヤ部材４は、左右方向中央部の上下方向２ｂの全長わたり取り付けてもよいし、一部のみ例えば口元あたりのみに取り付けてもよい。
【符号の説明】
【００１８】１    立体マスク
２    マスク生地
２ａ  継ぎ目
２ｂ  左右方向中央部の上下方向
３    耳掛け
４    ワイヤ部材
４ａ  ワイヤ部材の長手方向端部
【図１】
0003228820.tif 000003
【図２】
0003228820.tif 000004
(57)【要約】      （修正有）【課題】認知症や譫妄などで判断能力が衰えた要介護者が不潔行為をするのを防ぐ不織布シートを提供する。【解決手段】不織布シート（紙おむつシート）は、紙おむつに固着固定するために、中央に接合部分Ａ１を設けた１枚、もしくは片側に接合部分Ｂ１を設けた２枚で構成される厚手の不織布シートであり、使用者の腰から背部まで覆うことができる。不織布シートの端Ｃには、面テープや両面テープもしくはそれに類似した物が取り付けられ、紙おむつを使用者に固定できる。紙おむつに伸縮しない不織布のシートを取り付ける事により、紙おむつを外せる場所を要介護者の手が届かない後ろのお尻部分にする事で不潔行為をするのを防ぐ。【選択図】図１
0003228846.tif 000002
【実用新案登録請求の範囲】
【請求項１】
紙おむつの前部（腹部）の一部に左右に広がるように取り付け、紙おむつの後部（背部）まで覆う様に平面テープや両面テープそれに類似する物で固定できるようにした１枚から２枚の不織布のシート。
【考案の詳細な説明】
【技術分野】
【０００１】本考案は、認知症や譫妄などによる不潔行為を少なくする紙おむつ用のシートである。
【背景技術】
【０００２】現在、介護の場面で認知症や譫妄などで、要介護者が紙おむつをはずしたり紙おむつの中に手を入れたりする不潔行為で介護者や介護されるの家族の肉体的、精神的ストレスが高まっている。
【先行技術文献】
【特許文献】
【特許文献】公開特許公報（Ａ）特開２０１２−２４９９５３
【考案の概要】
【考案が解決しようとする課題】
【０００８】現在使用されている紙おむつは、１枚の吸水性のあるフラットタイプの使い捨ておむつをお尻部から腹部へ回し、腹部部分の面テープで体に固定するため、容易に使用者がはずすことが出来、ウエスト部分に糸ゴムなが使用され、手を上部から差し入れることも容易にできる。
【課題を解決するための手段】
【０００９】本考案は、不織布シートを付けることにより、紙おむつを体から外す部分を要介護者の後ろのお尻部分にする事で、要介護者の手が届きにくくし、伸縮性の無い不織布を使用する事で手も差し入れしにくくするものである。
【考案の効果】
【００１０】認知症や譫妄などの要介護者が、精神的混乱などでする不潔行為が少なくなり、介護者や要介護者の家族の肉体的、精神的負担が軽減される。
【図面の簡単な説明】
【００１１】
【図１】不織布シート（上が１枚を固定する場合のシート）
【図２】紙おむつの表面（右側が前）
【考案を実施するための形態】
【００１２】１枚、もしくは２枚の不織布を１枚の場合はＡに２枚の場合はＢに固定しそれぞれ左右から後ろに回してお尻部分で面テープや両面テープでシートを紙おむつに固定する。
【符号の説明】
【００１３】Ａ    紙おむつシートが１枚の場合の紙おむつの固定場所。
Ａ１  紙おむつシートが１枚の場合の紙おむつシートの固定場所。
Ｂ    紙おむつシートが２枚の場合の紙おむつの固定場所。
Ｂ１  紙おむつシートが２枚の場合の紙おむつシートの固定場所。
Ｃ    平面ファスナーなど
【図１】
0003228846.tif 000003
【図２】
0003228846.tif 000004
【手続補正書】
【提出日】令和2年7月1日(2020.7.1)
【手続補正１】
【補正対象書類名】実用新案登録請求の範囲
【補正対象項目名】全文
【補正方法】変更
【補正の内容】
【実用新案登録請求の範囲】
【請求項１】
紙おむつに接着固定するために中央に接合部分（図１Ａ１）を設けた１枚の、もしくは片側に接合部分（図１Ｂ１）を設けた２枚の、使用者の腰から背部まで覆うことが出来る厚手の不織布シート。
【請求項２】
紙おむつの前部（腹部）中央（図２Ａ）に１枚、もしくは紙おむつの前部（腹部）左右の腰部（図２Ｂ）に２枚接着固定され、それぞれの端（図１Ｃ）には面テープや両面テープもしくはそれに類似した物が取り付けられており、それにより使用者の腰から背部まで覆う様に紙おむつを使用者に固定出来る請求項１の厚手の不織布シート。
(57)【要約】      （修正有）【課題】美観を保ちコストも抑えられ、且つ清潔も保つことができ、雨天時に室内の採光や換気を保ったまま、雨の降り込みを防止することができるアクリル板を提供する。【解決手段】アクリル板２を既存の網戸に取り付ける。アクリル板２は、皿ネジで固定して使用され、清掃時には皿ネジを外し、網戸から外す。既存の網戸の規格に合ったアクリル板２を何種類か用意することによって、必要なサイズを選んで取り付けるだけの手軽さで、雨の降り込み防止と換気を同時に行いながら、室内の採光を保ったりコストを抑えたりすることも可能にした。また、アクリル板２の強度を生かし、脱着をネジで簡単に行うようにしたため、すっきりとした外観となり、手入れも容易になり、美しさや清潔を保ちやすくなった。【選択図】図２
0003228848.tif 000002
【実用新案登録請求の範囲】
【請求項１】
窓用網戸に取り付けることにより、常時換気機能と採光機能を保持しながら、雨が横から吹き付けるように降る際には雨水の降り込みを防ぐことができ、さらに清掃時には板を網戸から外すこともできるようにしたところを特徴とする換気・採光・取り外し機能付き雨天時降り込み防止アクリル板
【考案の詳細な説明】
【技術分野】
【０００１】  本考案は、既存の網戸に取り付けておくことによって、日常的にはもちろんのこと、雨天時にも室内への降り込みを防止しながら換気状態を保持するために役に立つアクリル板に関するものである。
【背景技術】
【０００２】  従来の窓用雨除けは、窓枠や網戸に雨除けブラインドパネルを取り付けていた。
【先行技術文献】
【特許文献】
【０００３】
【特許文献１】特開２０１６−１２１５１７号  公報
【考案の概要】
【考案が解決しようとする課題】
【０００４】  雨が降り込む際、室内が水浸しになることがある。これを防ぐために、従来は窓枠や網戸に取り付ける雨除けブラインドパネルがあったが、採光が妨げられたりコストがかかったりしていた。また、仮にアクリル板を購入して網戸に取り付けようとしても、規格に合うちょうどよい大きさのアクリル板は容易には手に入らず、加工も難しい。
【課題を解決するための手段】
【０００５】  本考案は網戸の一部に取り付けるものを、透明アクリル板にすることと、サッシの規格から予想される大きさのものをあらかじめ何種類か用意しておくことによって、上述の課題点を解決している。
【考案の効果】
【０００６】  本考案の「換気・採光・取り外し機能付き、雨天時降り込み防止のために網戸に取り付けておくためのアクリル板」は、アクリル板が透明であることにより、外観の美しさも採光機能も損なう心配がない。また、既存の網戸の大きさに合った一枚の板を選んで取り付けるだけであるため、コスト面においても着脱時や清掃時の手間においても手軽になる。また、通常の雨であれば、降り込み防止と換気を同時に期待することもできる。
【図面の簡単な説明】
【０００７】
【図１】アクリル板取り付け時に、室内から見た正面図
【図２】アクリル板取り付け時に、上部から見た空気の流れ図
【図３】アクリル板取り付け時の網戸を上から見た一部切欠断面図（上が室内・下が外側）
【図４】アクリル板取り付け時の網戸を横から見た一部切欠断面図（右が室内・左が外側）
【考案を実施するための形態】
【０００８】  以下、本発明の実施の形態を説明する。
（イ）本発明は網戸に取り付けるアクリル板を指す。透明度が高いため室内を明るく保ち、軽くて丈夫で安全。しかも既存の網戸に一枚のアクリル板を取り付けるだけでなので、大きな効果を小さなコストで得ることができる。さらに、皿ネジを使用すること［図３］［図４］によって、すっきりとした外観［図１］を保ったまま、清掃のための脱着機能も兼ね備えている。換気しながら降り込み防止ができる実用性に加え、アクリル板の良さを十分に生かした発明である。
（ロ）本発明のアクリル板を既存の網戸に取り付け、［図２］のように室内側から見て右側のガラス戸（４ｂ）をアクリル板（２）に少し重なる程度の位置に開いておくと、横から吹き付けるような風雨が外から窓に吹き付けるような場合でも、風は（６ａ）（６ｂ）のように室内に流れ込むが、雨水はガラス戸（４ａ・４ｂ）やアクリル板（２）に妨げられるため、室内には降り込むことはない。また、空気は内と外を自由に行き来し、常時、室内の換気が行われる。
（ハ）アクリル板は、［図５］における皿ネジ（７ａ・７ｂ・７ｃ）で固定して使用され、使用時に動かすことはない。清掃時には皿ネジ（７ａ・７ｂ・７ｃ）を外し、網戸から外す。
（二）アクリル板は、網戸サッシの既存の各社の規格に合った大きさのものを、あらかじめ何種類か用意しておく。
【符号の説明】
【０００９】１  網戸の網
２  透明アクリル板
３ａ  アクリル板付き網戸を室内から見た場合の網戸サッシ左枠
３ｂ  アクリル板付き網戸を室内から見た場合の網戸サッシ右枠
３ｃ  アクリル板付き網戸を室内から見た場合の網戸サッシ上枠
３ｄ  アクリル板付き網戸を室内から見た場合の網戸サッシ下枠
４ａ  室内から見た場合の左側ガラス戸
４ｂ  室内から見た場合の右側ガラス戸
５ａ  室内から見た場合の窓枠左側
５ｂ  室内から見た場合の窓枠右側
６ａ  風（空気）の流れ
６ｂ  風（空気）の流れ
７ａ  アクリル板を上枠（３ｃ）に固定するための皿ネジ
７ｂ  アクリル板を下枠（３ｄ）に固定するための皿ネジ
７ｃ  アクリル板を右枠（３ｂ）に固定するための皿ネジ
【図１】
0003228848.tif 000003
【図２】
0003228848.tif 000004
【図３】
0003228848.tif 000005
【図４】
0003228848.tif 000006